(57)【特許請求の範囲】
【請求項１】
キャノピーテントにおいて、
外側に多数の締付環が形成され、内側に中空部が形成された胴体部と、
外側に多数の係合環が形成され、内側に下向きに突き出た円柱が形成された摺動部材と、
一方が前記胴体部の締付環に蝶着され、他方がテント地を立てるように配設される支柱と連結され、支柱連結部の外側に連結環が形成された支持ポールと、
一方が前記摺動部材の係合環に蝶着され、もう一方の一方側が前記支持ポールの連結環に蝶着された第１の連結杆に蝶着され、もう一方の他方側が前記胴体部の締付環に蝶着された第２の連結杆に蝶着されるジョイント連結棒と、
を備え、
前記中空部には圧縮バネおよびバネホルダーが設けられ、前記バネホルダーと前記円柱の底部とが係合され、前記摺動部材の円柱が前記胴体部の上側から中空部の内側に挿通して上下働することを特徴とするキャノピーテント。
【請求項２】
前記摺動部材の下端部の一方にはストッパーが引っ掛かる掛止部が形成され、
前記胴体部の外面にはストッパーを固定する固定環が形成されたことを特徴とする請求項１に記載のキャノピーテント。
【請求項３】
前記摺動部材の頂部にはカバーが連結され、前記カバーの上面には貫通孔が穿設されて前記摺動部材の掛止部に引っ掛かったストッパーの一面に形成された掛止環に引き紐を縛着してストッパーを解放することを特徴とする請求項２に記載のキャノピーテント。
【請求項４】
前記バネホルダーには貫通孔が穿設され、前記貫通孔に引き紐を通して環を形成してテントの設置に際して前記環を下方に引っ張ることでテントを設置することを特徴とする請求項１から３のいずれかに記載のキャノピーテント。
【請求項５】
前記支柱は、
一方がテントの頂端に配されたろくろと蝶合され、他方が第１の関節部材と係合される第１の支柱と、
一方が前記第１の関節部材と係合され、他方が第２の関節部材に固定される多数の第２の支柱と、
一方が前記第２の関節部材と係合され、他方が固定部材に固定される多数の第３の支柱と、
前記第２の支柱の外側に配設されて、前記第２の支柱の反りを防ぐ反り止め管と、
を備え、
前記固定部材は、前記第３の支柱と係合され、テント地の下端角部に配設される固定環が嵌着される「Ｔ」字状貫通孔が穿設されたことを特徴とする請求項４に記載のキャノピーテント。
【発明の詳細な説明】
【技術分野】
【０００１】
本発明はキャノピーテントに係り、さらに詳しくは、テントの頂端に配設されたろくろの内部の圧縮バネの弾性力およびろくろに蝶着された支持ポールに連結される支柱の弾性力を用いて、テントの設置と撤収が容易に行えるキャノピーテントに関する。
【背景技術】
【０００２】
一般に、キャノピー（天蓋、日よけ屋根）テントとは、折畳式テントまたは蛇腹式テントなどと呼ばれ、テントの骨組をなす支持ポールおよび支柱を畳み込んだり拡げたりしてテントの設置及び撤収を行うテントのことを言う。
【０００３】
最近には、支持ポールをまるで折り畳み傘を開くように押し拡げてテントの設置および撤収をより一層速やかに且つ簡単に行うようにした自動傘タイプのキャノピーテントが開発されて商用化されるに至っている。
【０００４】
前記自動傘タイプのキャノピーテントは、図１に示すように、テントの頂部に配設されるろくろ１と、前記ろくろ１に放射状に蝶着されてテントの外観を形成する多数の支持ポール２と、前記ろくろ１から吊り下げられた案内軸３と、を備える。
【０００５】
前記案内軸３に圧縮バネ４および筒状の昇降ガイド５がこの順に外嵌される。この昇降ガイド５には前記圧縮バネ４によって下降力が与えられ、前記案内軸３の下端には案内軸３から昇降ガイド５が抜脱しないようにストッパー６が螺着される。ここで、前記昇降ガイド５には多数の補助支持ポール７が放射状に蝶着された状態で支持ポール２に一対一に蝶着されるように構成される。
【０００６】
このように、従来の自動傘タイプのキャノピーテントは、人為的な力によって昇降ガイド５が下方に引っ張られたり、支持ポール２が外側に押し拡げられる場合、圧縮バネ４の復元力によって昇降ガイド５が自動的に案内軸３に沿って下動しつつ支持ポール２が押し拡げられされ、押し拡げられた支持ポール２が補助支持ポール７によって支持されることでテントの設置が行われる。
【０００７】
このとき、前記昇降ガイド５は圧縮バネ４の復元力によって強い下降力が与えられた状態であり、昇降ガイド５と連結された前記補助支持ポール７の連結端部が支持ポール２と連結された連結端部よりも下方に位置しているためロックが行われて、押し拡げられた支持ポール２が折り畳まれることなく常に拡開状態を維持することとなる。
【０００８】
この状態で、前記支持ポール２を圧縮バネ４の復元力以上の力を入れて折り畳むと、補助支持ポール７が支持ポール２に上昇力を与え、これにより、昇降ガイド５が圧縮バネ４を圧縮させつつ案内軸３に沿って上動することでテントの撤収が行われる。
【０００９】
しかしながら、従来の自動傘タイプのキャノピーテントは、前記補助支持ポール７が水平状態に押し拡げられてテントが設置され、前記補助支持ポール７が垂直状態に折り畳まれて撤収されるようになっており、前記補助支持ポール７の回動角度が大きくなって昇降ガイド５の昇降区間ｈが長くなる。
【００１０】
このため、前記昇降ガイド５の昇降区間ｈが長くなる分だけテントの天井が低くなってテントの室内空間が狭くなるだけではなく、テントを設置または撤収するときにユーザーの過度な作動力が求められるといった不都合があった。
【００１１】
さらに、前記圧縮バネ４が外部に露呈されるため、テントの設置及び撤収の際にユーザーが負傷するおそれがあり、前記圧縮バネ４に腐食が起こるとテントの設置および撤収がスムーズに行われないといった不都合があった。
【発明の概要】
【発明が解決しようとする課題】
【００１２】
本発明は上記の事情に鑑みてなされたものであり、その目的は、テントの頂端に配設されたろくろの内部の圧縮バネの弾性力およびろくろに蝶着された支持ポールに連結される支柱の弾性力を用いて、テントの設置と撤収が速やかに且つ簡単に行えるキャノピーテントを提供するところにある。
【００１３】
本発明の他の目的は、キャノピーテントの骨組をなす多数の支柱と前記支柱を連結する第１及び第２の関節部材が設けられ、前記第１の関節部材と第２の関節部材との間に反り止め管が設けられることにより、設置されたテントが外力によって崩れたり、外風によって揺れることを防ぐことのできるキャノピーテントを提供するところにある。
【課題を解決するための手段】
【００１４】
上記の目的を達成するために、本発明に係るキャノピーテントは、外側に多数の締付環が形成され、内側に中空部が形成された胴体部と、外側に多数の係合環が形成され、内側に下向きに突き出た円柱が形成された摺動部材と、一方が前記胴体部の締付環に蝶着され、他方がテント地を立てるように配設される支柱と連結され、支柱連結部の外側に連結環が形成された支持ポールと、一方が前記摺動部材の係合環に蝶着され、もう一方の一方側が前記支持ポールの連結環に蝶着された第１の連結杆に蝶着され、もう一方の他方側が前記胴体部の締付環に蝶着された第２の連結杆に蝶着されるジョイント連結棒と、を備え、前記中空部には圧縮バネおよびバネホルダーが設けられ、前記バネホルダーと前記円柱の底部とが係合され、前記摺動部材の円柱が前記胴体部の上側から中空部の内側に挿通して上下働することを特徴とする。
【００１５】
本発明に係るキャノピーテントにおいて、前記摺動部材の下端部の一方にはストッパーが引っ掛かる掛止部が形成され、前記胴体部の外面にはストッパーを固定する固定環が形成される。
【００１６】
本発明に係るキャノピーテントにおいて、前記摺動部材の頂部にはカバーが連結され、前記カバーの上面には貫通孔が穿設されて前記摺動部材の掛止部に引っ掛かったストッパーの一面に形成された掛止環に引き紐を縛着してストッパーを解放する。
【００１７】
本発明に係るキャノピーテントにおいて、前記バネホルダーには貫通孔が穿設され、前記貫通孔に引き紐を通して環を形成してテントの設置に際して前記環を下方に引っ張ることでテントを設置する。
【００１８】
本発明に係るキャノピーテントにおいて、前記支柱は、一方がテントの頂端に配されたろくろと蝶合され、他方が第１の関節部材と係合される第１の支柱と、一方が前記第１の関節部材と係合され、他方が第２の関節部材に固定される多数の第２の支柱と、一方が前記第２の関節部材と係合され、他方が固定部材に固定される多数の第３の支柱と、前記第２の支柱の外側に配設されて、前記第２の支柱の反りを防ぐ反り止め管と、を備え、前記固定部材は、前記第３の支柱と係合され、テント地の下端角部に配設される固定環が嵌着される「Ｔ」字状貫通孔が穿設される。
【発明の効果】
【００１９】
本発明に係るキャノピーテントは、ろくろの内部の圧縮バネの弾性力および支持ポールに連結される支柱の弾性力を用いてテントを速やかに設置することができ、テントの外観を形成する支柱をテントの頂端に配設されたろくろの中心軸に向かって折り畳んで速やかに撤収することができる。
【００２０】
また、本発明に係るキャノピーテントは、支柱の外側に反り止め管を配設して、設置されたテントが外力によって崩れたり、外風によって揺れることを防ぐことができる。
【図面の簡単な説明】
【００２１】
図１は、従来のキャノピーテントを示す使用状態図。
【００２２】
図２は、本発明の一実施形態に係るキャノピーテントの使用状態図。
【００２３】
図３は、本発明の一実施形態に係るろくろの部分分解図。
【００２４】
図４は、本発明の一実施形態に係るろくろが折り畳められた状態を示す使用状態図。
【００２５】
図５は、本発明の一実施形態に係るストッパーの作動過程を示す使用状態図。
【００２６】
図６および図７は、本発明の一実施形態に係るろくろの作動状態を示す使用状態図。
【００２７】
図８は、本発明の他の実施形態に係るキャノピーテントにおける支柱の連結状態を示す状態図。
【００２８】
図９は、本発明の他の実施形態に係るキャノピーテントにおける支柱の連結状態を示す使用状態図。
【００２９】
図１０は、本発明の他の実施形態に係る第２の関節部材の分解図。
【００３０】
図１１は、本発明の他の実施形態に係る固定部材の使用過程を示す状態図。
【発明を実施するための形態】
【００３１】
以下、図面に基づき、本発明が属する技術分野において通常の知識を持った者が本発明を容易に実施できる程度に本発明の好適な一実施形態を詳述する。
【００３２】
図２は、本発明の一実施形態に係るキャノピーテントの使用状態図であり、図３は、本発明の一実施形態に係るろくろの部分分解図であり、図４は、本発明の一実施形態に係るろくろが折り畳められた状態を示す使用状態図であり、図５は、本発明の一実施形態に係るストッパーの作動過程を示す使用状態図である。
【００３３】
まず、本発明の一実施形態に係るキャノピーテントは、図２から図５に示すように、テント地１１と、支柱１２と、垂れ止め部材１４と、連結部材１６、１７と、固定部材１８と、ろくろ１００と、を備える。
【００３４】
前記支柱１２はテント１０の骨組をなすものであり、様々な形状や色相を有するように製作されたテント地１１の構造や面積に応じて様々なタイプを有する。
【００３５】
前記垂れ止め部材１４は、テント地１１の外観の一部に１以上配設され、前記支柱１２が拡がったり折り畳まれたりするとき、テント地１１の形状がそのまま維持されるように、支柱１２が前記垂れ止め部材１４に嵌合してテント１０を一層簡単に設置したり、折り畳んで撤収したりできる。
【００３６】
前記テント１０の頂端には四方に拡げられる支柱１２を一方向に拡げたり折り畳んだりするろくろ１００が配設され、前記ろくろ１００は、カバー１１０と、摺動部材１２０と、胴体部１３０と、支持ポール１４０と、ジョイント連結棒１５０と、第１の連結杆１５２と、第２の連結杆１５４と、ストッパー１６０などを備える。
【００３７】
前記ろくろ１００の胴体部１３０は、たとえば、内側に円柱状の中空部１３２が形成され、中心部および下端部の外側に多数の締付環１３６、１３８が突設され、頂部に前記摺動部材１２０が挿通する通孔１３４が穿設される。
【００３８】
前記摺動部材１２０は、前記胴体部１３０の上側から内側に挿通する円柱１２１が下向きに突出し、中心部の外側に前記カバー１１０と螺合される係合部１２２が突設され、下端部に前記ジョイント連結棒１５０に蝶着される多数の係合環１２４が突設され、下端部に形成された係合環１２４の間に一方向に前記ストッパー１６０が引っ掛かる掛止爪１２６が形成される。
【００３９】
前記支持ポール１４０は、一方には前記胴体部１３０の締付環１３６、１３８に蝶着されるための二又状の１対の蝶番部１４２が形成され、他方にはテント地１１を立てるように配設される支柱１２を連結する支柱連結部１４４が形成され、支柱連結部１４４の外側に前記第１の連結杆１５２に蝶着される連結環１４６が突設される。
【００４０】
前記ジョイント連結棒１５０は、一方が前記摺動部材１２０の係合環１４６に蝶着され、もう一方の一方側が前記支持ポール１４０の連結環１４６に蝶着された第１の連結杆１５２に蝶着され、もう一方の他方側が前記胴体部１３０の締付環１３８に蝶着された第２の連結杆１５４に蝶着される。
【００４１】
前記カバー１１０は前記摺動部材１２０の頂部に螺合され、前記カバー１１０の頂部には多数のネジ孔１１２が穿設され、前記カバー１１０の下端部の一方側には貫通孔１１４が穿設される。
【００４２】
前記ストッパー１６０には、前記胴体部１３０の外面に形成された固定環１３９に蝶着される蝶着部１６２が形成され、前記蝶着部１６２の下側には弾性バネ１６３が配設され、前記摺動部材１２０の下端部の一方側に形成された掛止爪１２６に引っ掛かる掛止部１６４が突設され、前記掛止部１６４の形成方向とは逆向きに、例えば、引き紐が縛着される掛止環１６５が形成される。
【００４３】
ここで、前記ストッパー１６０の掛止部１６４が前記摺動部材１２０の下端部に形成された掛止爪１２６に引っ掛かった掛止状態で、前記掛止環１６５に縛着された引き紐が前記カバー１１０の貫通孔１１４を介して外部に露呈されると、露呈された引き紐をユーザーが引っ張ってストッパー１６０の掛止状態を解放することができる。
【００４４】
前記胴体部１３０の中空部１３２には圧縮バネ１７０およびバネホルダー１７２がさらに配設され、前記バネホルダー１７２と前記円柱１２１の底部とが螺合され、前記摺動部材１２０の円柱１２１は前記胴体部１３０の上側から中空部１３２の内側に挿通して上下働する。
【００４５】
前記バネホルダー１７２には上方から下方に向けて貫通孔１７４が穿設され、前記貫通孔１７３に、例えば、引き紐を通して環を形成し、テント１０を開いて設置する際に前記環を下方に引っ張ってテント１０を最終的に設置すればよい。
【００４６】
図６および図７は、本発明の一実施形態に係るろくろの作動状態を示す使用状態図である。本発明の一実施形態に係るキャノピーテントを設置する場合、図６および図７に示すように、ユーザーが折畳み状態のテント１０の頂端に配されるろくろ１００を手に取った状態で、前記ろくろ１００の中心軸に向かって折り畳まれている前記支持ポール１４０を手に取って上方に回動させると、前記支持ポール１４０に連結された支柱１２が上方に拡開される。
【００４７】
このとき、前記胴体部１３０の中空部１３２の内部の圧縮状態の圧縮バネ１７０が膨張し、ユーザーの手から伝わる小さな外力でも前記支持ポール１４０に連結された支柱１２が上方に簡単に拡開される。
【００４８】
ここで、前記支持ポール１４０に連結された支柱１２が上方に拡開されると、前記摺動部材１２０が下方に摺動し、前記摺動部材１２０に放射状に一定間隔をあけて一様と蝶合されたジョイント連結棒１５０が下動する。
【００４９】
また、前記ジョイント連結棒１５０と一方が蝶合され、他方が前記支持ポール１４０および胴体部１３０に連結された第１及び第２の連結杆１５２、１５４が前記支持ポール１４０の拡開される上方に拡開され、これに伴い、前記胴体部１３０の中心に向かって折り畳まれた前記支持ポール１４０と、ジョイント連結棒１５０と、第１及び第２の連結杆１５２、１５４などが上方に回動して拡開される。
【００５０】
しかる後、前記支持ポール１４０が胴体部１３０を中心に所定の角度（例えば、７０〜８０°）拡開された状態で、ユーザーが前記胴体部１３０の下方に張り出されたバネホルダー１７２に縛着された引き紐を手に取って下方に引っ張ると、前記摺動部材１２０が最大限に下降しつつ、前記胴体部１３０の側面に配設されたストッパー１６０の掛止部１６４が前記摺動部材１２０の掛止爪１２６に引っ掛かる。
【００５１】
一方、ユーザーがキャノピーテントを撤収する場合、前記胴体部１３０の側面に配設されたストッパー１６０の外面に形成された掛止環１６５に縛着された引き紐（例えば、図５参照）をユーザーが手に取って引っ張ると、前記摺動部材１２０の掛止爪１２６に引っ掛かった掛止部１６４が掛止爪１２６から抜脱して掛止状態が解放される。
【００５２】
このとき、前記胴体部１３０の中空部１３２の内部の膨張状態の圧縮バネ１７０が圧縮して、前記支持ポール１４０に連結されて四方に拡げられた支柱１２が自体弾性力によって所定の角度だけ折り畳まれる。
【００５３】
ここで、前記支持ポール１４０に連結された支柱１２が下方に折り畳まれると、前記摺動部材１２０が上方に摺動し、前記摺動部材１２０に放射状に一定間隔をあけて一様と蝶合されたジョイント連結棒１５０が上動する。
【００５４】
また、前記ジョイント連結棒１５０と一方が蝶合され、他方が前記支持ポール１４０および胴体部１３０に連結された第１及び第２の連結杆１５２、１５４が前記支持ポール１４０の折り畳まれる下方に折り畳まれ、これに伴い、前記胴体部１３０を中心に前記支持ポール１４０と、ジョイント連結棒１５０と、第１及び第２の連結杆１５２、１５４などが下方に回動して折り畳まれる。
【００５５】
前記支持ポール１４０に連結された支柱１２が前記胴体部１３０を中心に所定角度（例えば、６０〜７０°）だけ折り畳まれた状態で、ユーザーが前記支持ポール１４０をさらに折り畳むために前記支持ポール１４０を前記胴体部１３０に向かって寄せ集めると、前記摺動部材１２０が最大限に上昇して前記支持ポール１４０が前記胴体部１３０を中心に完全に折り畳まれる。
【００５６】
この後、ユーザーは、前記テント地１１の垂れ止め部材１４に嵌合された支柱１２と支柱１２との間に二段または三段に折り畳めるように連結部材１６、１７を取設して、支柱１２を一方向に向かって内側または外側に折り畳んだ後、テント地１１を一方向に巻いてキャノピーテントのケース（図示せず）に入れて保管する。
【００５７】
【００５８】
一方、図８は、本発明の他の実施形態に係るキャノピーテントにおける支柱の連結状態を示す状態図であり、図９は、本発明の他の実施形態に係るキャノピーテントにおける支柱の連結状態を示す使用状態図であり、図１０は、本発明の他の実施形態に係る第２の関節部材の分解図であり、図１１は、本発明の他の実施形態に係る固定部材の使用過程を示す状態図である。
【００５９】
図８から図１１に示すように、本発明の他の実施形態に係るキャノピーテントは、第１の支柱２１０と、第１の関節部材２２０と、第２の支柱２３０と、第２の関節部材２４０と、第３の支柱２５０と、固定部材２６０および反り止め管２７０をさらに備える。
【００６０】
前記テント１０の頂端には四方に拡げられる第１の支柱２１０を一方向に拡げたり折り畳むためのろくろ１００が配設され、前記多数の第１の支柱２１０は、一方がテント１０の頂端に配設されたろくろ１００と連結された多数の支持ポール１４０と蝶合され、他方が多数の第１の関節部材２２０と蝶合される。
【００６１】
前記第１の関節部２２０の両側には前記第１の支柱２１０と第２の支柱２３０とが係合される蝶合部２２１が形成され、前記蝶合部２２１と係合された前記第１の支柱２１０および第２の支柱２３０が所定の角度、例えば、２００〜２２０°以上回動しないように支持する支柱支承部２２２が形成される。
【００６２】
前記多数の第２の支柱２３０は一方が多数の第１の関節部材２２０と蝶合され、他方が多数の第２の関節部材２４０にそれぞれ固定される。
【００６３】
前記第２の関節部２４０は、前記第２の支柱２３０と係合される係合部材２４１と、前記第３の支柱２５０と係合される回転部材２４５と、を備える。
【００６４】
前記係合部材２４１の両面にはガイド突起２４２と、前記回転部材２４５が蝶合される長孔２４３と、が形成され、前記回転部材２４５と当接する前面下端部には固定突起２４４が形成される。
【００６５】
前記回転部材２４５は上側が開放され、両内面には前記ガイド突起２４２と対応するガイド溝２４６と、前記固定突起２４４と対応する固定溝２４７と、が凹設される。
【００６６】
前記多数の第３の支柱２５０は一方が多数の第２の関節部材２４０にそれぞれ係合され、他方が多数の固定部材２６０にそれぞれ固定される。
【００６７】
前記多数の固定部材２６０には、例えば、「Ｔ」字状の貫通孔２６２が穿設され、テント１０の下端角部に配設された引掛け部１９が、図１１Ａ及び図１１Ｂに示すように、「Ｔ」字状の貫通孔２６２の長手方向に嵌合され、前記引掛け部１９が、図１１Ｃに示すように、「Ｔ」字の頭部に９０°回転して固定される。
【００６８】
前記第１の関節部材２２０と第２の関節部材２４０との間に配設される前記第２の支柱２３０の外側には、前記第２の支柱２３０が外側に反ることを防ぐための反り止め管２７０が配設されて、図８に示すように、キャノピーテントの側面が直線状に保たれる。
【産業上の利用可能性】
【００６９】
上述したように、本発明に係るキャノピーテントは、支柱が互いに連結された状態で手軽に支柱を折り畳んでテントの中心軸に向かって寄せ集めたり、拡げたりするように構成されて、短時間にテントの設置及び撤収を行うことができる。
【００７０】
また、本発明に係るキャノピーテントを設置及び撤収する際に、より少ない作動力により簡単にテントを設置及び撤収することができ、設置されたテントが外力によって崩れたり、外風によって揺れることを防ぐことができる。
【００７１】
以上に述べた本発明の好適な実施形態は、単なる例示のために開示されたものであり、当業者であれば、特許請求の範囲に開示された本発明の技術的な思想とその技術的な範囲内において、本発明の実施形態に様々な改良、変更、代替または付加などを行うことができるであろう。
【図１】
0005138817.tif 000002
【図２】
0005138817.tif 000003
【図３】
0005138817.tif 000004
【図４】
0005138817.tif 000005
【図５】
0005138817.tif 000006
【図６】
0005138817.tif 000007
【図７】
0005138817.tif 000008
【図８】
0005138817.tif 000009
【図９】
0005138817.tif 000010
【図１０】
0005138817.tif 000011
【図１１】
0005138817.tif 000012